(57)【要約】【課題】本発明は、ヘッドのコストを下げるため、電磁変換特性不良となったヘッドのサスペンションの再利用化を図ることを目的とする。更に、本発明の他の目的は、ヘッドの低イナーシャ化を図ることである。【解決手段】記録／再生素子が形成されたスライダのサイド面に対し、サスペンションの先端を前記サイド面に当接させる。サスペンションの先端を前記サイド面から飛び出させずに、かつ、スライダが機械的に支持される面を記録／再生素子が形成されたスライダのサイド面とする。記録／再生素子が形成されたスライダのサイド面に設けた記録／再生素子の接続端子と、サスペンションに一体化されたＦＰＣの配線パターンの配線端子とを溶接あるいは半田にて電気的に接続すると共に、機械的にもスライダをサスペンションに固定する。  【選択図】図１
2007234152.tif 000002
【特許請求の範囲】
【請求項１】
記録／再生素子が形成されたスライダのサイド面にサスペンションとの当接部を有することを特徴とする磁気ヘッド。
【請求項２】
前記サイド面に設けられた前記記録／再生素子の接続端子と前記サスペンションに設けられた配線端子とが金溶着されていることを特徴とする請求項１に記載の磁気ヘッド。
【請求項３】
前記サイド面に設けられた前記記録／再生素子の接続端子と前記サスペンションに設けられた配線端子とが半田溶着されていることを特徴とする請求項１に記載の磁気ヘッド。
【請求項４】
前記当接部が接着剤にて接着されていることを特徴とする請求項１乃至請求項３に記載の磁気ヘッド。
【請求項５】
スライダのサイド面に記録／再生素子を形成し、前記サイド面にサスペンションを当接し、前記スライダが前記サイド面で支持されている磁気ヘッドのスライダ支持方法。
【発明の詳細な説明】
【技術分野】
【０００１】
本発明は、磁気ディスク装置に搭載される磁気ヘッドに関する。
【背景技術】
【０００２】
従来より、磁気ヘッドにおいて、スライダはサスペンションに設けられたスライダ搭載部にスライダの背面（浮上面とは反対側の面）を位置づけして接着され、スライダのサイド面に形成された記録／再生素子の接続端子とサスペンションに沿って設けられた接続線の接続端子とは金または半田にて接合されている。
【０００３】
磁気ディスク装置の大容量化および小型化に伴いディスクおよびヘッドの小型化が急速に進んでおり、これに伴いヘッドのスライダやサスペンションの小型化、軽量化、さらには低イナーシャ化が図られている。一方、磁気ヘッドの製造コストを下げるため、電磁変換特性不良となったヘッドのサスペンションの再利用化が必要とされている。
【０００４】
これらに関連する公知技術として、例えば、本願の発明者の出願による特開２００３−２８８７６５号公報に開示されているようなヘッドの小型化、低イナーシャ化を図った技術がある。上記の公報に開示されている技術は、サスペンションの先端側に設けたスライダの搭載部にスライダを搭載してなる磁気ヘッドにおいて、スライダが、記録／再生素子が形成された端面をスライダの基端側に向けて搭載部に搭載されている磁気ヘッドであり、従来のヘッドにくらべてサスペンションをコンパクトに形成することができ、磁気ディスク装置の小型化、さらには、磁気ヘッドの低イナーシャ化を図ることができ、高速動作にすぐれた磁気ヘッドを提供するものである。
【０００５】
上記の公報に開示されている技術に対し、本願の発明は、電磁変換特性不良となったヘッドのサスペンションの再利用化を図ると共に、更に低イナーシャ化を図るものである。
【特許文献１】特開２００３−２８８７６５号公報
【発明の開示】
【発明が解決しようとする課題】
【０００６】
本発明は、ヘッドのコストを下げるため、電磁変換特性不良となったヘッドのサスペンションの再利用化を図ることを目的とする。
【０００７】
更に、本発明の他の目的は、ヘッドの低イナーシャ化を図ることである。
【課題を解決するための手段】
【０００８】
本発明の請求項１に記載の発明は、記録／再生素子が形成されたスライダのサイド面にサスペンションとの当接部を有することを特徴とする磁気ヘッドである。
【０００９】
請求項１に記載の発明によれば、記録／再生素子が形成されたスライダのサイド面に対し、例えば、サスペンションの先端を前記サイド面に当接させたり、あるいは、サスペンションの先端にサスペンションの長手方向と直角に折り曲げられた当接部を設けて前記サイド面に当接させる。サスペンションの先端を前記サイド面から極力前方に飛び出させずに、かつ、スライダが支持される面を記録／再生素子が形成されたスライダのサイド面とする。これにより、記録／再生素子が形成されたスライダのサイド面に設けた記録／再生素子の接続端子と、サスペンションに接着層を介して一体化されたＦＰＣで作られた配線パターンのサスペンション先端側に設けられた配線端子とを溶接あるいは半田にて直接的に接続することにより、サスペンションにスライダが固定される。従来はサスペンションに設けられたスライダの搭載部にサスペンションの表面とスライダの背面とを接着剤等を介して接着した後に、双方の端子間を溶接あるいは半田にて電気的に接続していた。従来の方法であると、上記の工程を経た後に電磁変換特性不良と判定されたヘッドのサスペンションの表面の一部がスライダの裏面と接着されているため、サスペンションを変形させずにスライダを取り外すことが難しく、サスペンションの再利用は殆ど不可能に近かった。しかしながら、本発明によれば、サスペンションの表面とスライダの背面とを接着剤にて固定する必要がないため、電磁変換特性不良と判定されたヘッドのサスペンションからスライダを溶接あるいは半田にて熱をかけることにより容易に取り外すことができ、サスペンションを変形させて損なうことなく、ＦＰＣと一体化されたサスぺンションを再利用できる。
【００１０】
さらに、本発明により、記録／再生素子が形成されたスライダのサイド面にサスペンション先端の当接部を突き当てることにより、従来のようにスライダの背面にサスペンションを位置する必要がないので、スライダを含むサスペンション先端部のイナーシャを軽減することができる。
【００１１】
以上のように、本発明は、記録／再生素子が形成されたスライダのサイド面において、スライダとサスペンションとの固定を、記録／再生素子の信号線の電気的接続を兼ねて行い、サスペンションの再利用化を図るようにしたものである。
【００１２】
本発明の請求項２に記載の発明は、前記サイド面に設けられた前記記録／再生素子の接続端子と前記サスペンションに設けられた配線端子とが金溶着されていることを特徴とする請求項１に記載の磁気ヘッドである。
【００１３】
請求項２に記載の発明によれば、接続端子と配線端子との結合材料に金を用いて溶接することにより、電気的接続に加えてスライダとサスペンションとの機械的な固定も兼ねることができる。
【００１４】
本発明の請求項３に記載の発明は、前記サイド面に設けられた前記記録／再生素子の接続端子と前記サスペンションに設けられた配線端子とが半田溶着されていることを特徴とする請求項１に記載の磁気ヘッドである。
【００１５】
請求項３に記載の発明によれば、接続端子と配線端子との結合材料に半田を用いて溶着することにより、電気的接続に加えてスライダとサスペンションとの機械的な固定も兼ねることができるうえ、サスぺンションの再利用が容易となる。
【００１６】
本発明の請求項４に記載の発明は、前記当接部が接着剤にて接着されていることを特徴とする請求項１乃至請求項３に記載の磁気ヘッドである。
【００１７】
請求項４に記載の発明によれば、金溶接に加え、記録／再生素子が形成されたスライダのサイド面とスライダとの当接部に、熱可塑性タイプの接着剤を併用することにより、機械的結合力が増すと共に、容易に分離可能とすることができる。金溶接に代えて半田溶着を適用したときも同様に、半田溶着に加え、記録／再生素子が形成されたスライダのサイド面とスライダとの当接部に、熱可塑性タイプの接着剤を併用することにより、機械的結合力が増すと共に、容易に分離可能とすることができる。
【００１８】
本発明の請求項５に記載の発明は、スライダのサイド面に記録／再生素子を形成し、前記サイド面にサスペンションを当接し、前記スライダが前記サイド面で支持されている磁気ヘッドのスライダ支持方法である。
【００１９】
請求項５に記載の発明によれば、スライダのサイド面のみでスライダとサスペンションの固定、信号線の電気的接続を行うことにより、サスペンションの再利用化を容易にすることができる。
【発明の効果】
【００２０】
本発明によれば、記録／再生素子が形成されたスライダのサイド面において、スライダとサスペンションの機械的な固定、および記録／再生素子の信号線の電気的接続が行われるため、サスペンションの再利用化を容易にすることができる。
【００２１】
また、イナーシャ低減、工数削減にもなる。
【発明を実施するための最良の形態】
【００２２】
図５は磁気ディスク装置の内部の斜視図である。図５において磁気ディスク装置のベース３０には、ディスク５を回転支持するスピンドルモータ（図示省略）が取り付けられ、ディスク５はスピンドルモータのディスク回転軸６に固定されている。また、ディスク５へ情報を書き込み、また読み出しを行う記録／再生素子が設けられたスライダ１は、例えば、ステンレス製のバネ鋼の板を加工したサスペンション２に取り付けられ、さらに、サスペンション２は金属製のアーム３の先端部に取り付けられている。ここで、サスペンション２には、記録／再生素子との信号のやり取りを中継する図示されていないＦＰＣがサスペンション２の表面に接着層を介して強固に貼り付けられ一体化されている。
【００２３】
アーム３は、アーム３を左右に揺動させるアクチュエータ４の回転軸４−２に固定され、サスペンション２の取り付けられたアーム３の先端部と回転軸４−２に対して反対側の後端には、図示されていないコイルが取り付けられている。磁気回路４−１から生じている磁界の中をアーム３のコイルに電流が流れることにより、アーム３は回転軸４−２を中心に、流れる電流の方向によって左右に揺動し、ヘッド１をディスク５の表面にポジショニングしている。
【００２４】
アクチュエータ４からベース３０の裏面に実装されている回路基板（図示省略）へはＦＰＣ４−３が接続されており、制御信号や駆動電流を送受している。
【００２５】
さらに、外部の機器との接続のためのコネクタ部３１がベース３０に設けられている。
【００２６】
以下の説明においては、アーム３の先端側に取り付けられるサスペンション２とこれに搭載されるスライダ１の部分を拡大した図を用いて説明する。
【００２７】
まず、従来例を説明する。図６は従来のヘッドの外観図を示す。図において、ａ）はスライダ浮上面側から見た図であり、スペーサ８とサスペンション２０は、例えば、ステンレス鋼でつくられ、スポット溶接により固定される。スペーサ８と、図５のアーム３とはカシメによって固定される。図６のｂ）に示すように、サスペンション２０に対しスライダ１は、スライダ浮上面とは反対側の裏面をサスペンション２０の先端に接着剤で固定され、図において、水平方向のスライダ１の端面はスライダ１とサスペンション２０とが剥がれないように少量の接着剤で補強されていた。
【００２８】
図７に示す従来のヘッド外観拡大図は、図６の先端部を拡大して示した図である。図７において、各部を示す符号と図１乃至図３における符号とが同じものは同じものを示す。図のａ）に示すように、サスペンション２０の接合面２０−１とスライダ１の背面１−２がサスペンション２０の接合面２０−１にて接着により固定される。そして、図のｂ）に示すように、スライダ１に記録／再生素子１−３−１が形成されたサイド面１−３には、表面が絶縁層（図示省略）によって覆われた記録再生素子１−３−１が設けられ、薄膜生成技術によって形成された情報書き込み用のインダクションコイルを有する記録素子と、書き込まれた信号を記録媒体（浮上面１−１に対面して回転する。図示省略）から読み出すＧＭＲ再生素子とから成っている。また、サイド面１−３の表面を覆う絶縁層の下側では、記録再生素子１−３−１の記録再生素子から、電気信号の送受のための各々２本づつのリード線が引き出され、４つの接続端子１−３−２にそれぞれ接続されている。
【００２９】
一方、図のｂ）に示すように、サスペンション２には記録／再生素子１−３−１と信号のやり取りを行うための中継用のＦＰＣ２０−５が接着層を介して一体化されている。それぞれ４つの接続端子１−３−２は、サスペンション２の表面に固着して設けられたＦＰＣ２−５が有する４本の配線２０−５−１の配線端子２０−５−２に近接して位置するように配置されており、接続端子１−３−２と配線端子２０−５−２の表面はそれぞれ溶接あるいは半田付けができるように端子部が絶縁層から露出している。
【００３０】
そして、図のｃ）に示すように、近接する接続端子１−３−２と配線端子２０−５−２同士が、例えば、金ボールで接合される。
【００３１】
図１に本発明による実施例を示す。示された実施例はａ）、ｂ）、ｃ）の３つの例である。
【００３２】
ａ）は、サスペンション２の先端をスライダ１の記録／再生素子（図示省略）が設けられたサイド面１−３に突き当ての接合面２−１を有する例である。サスペンション２には、
記録／再生素子と信号のやり取りを行うための中継用のＦＰＣ２−５が接着層を介して一体化されている。
【００３３】
ｂ）は、サスペンション２の先端にＬ曲げ部２−６を設け、サイド面１−３に突き当ての接合面２−２を有する例である。ここで、Ｌ曲げ部２−６はサスペンション２の先端の両側にそれぞれ一部、Ｌ曲げの部分を有する例である。Ｌ曲げ部２−６は、一部でも、また、サイド面１−３の低い位置全面に設けられていても構わない。
【００３４】
ｃ）は、サスペンション２の先端の両側にＬ曲げ部２−７を設け、Ｌ曲げ部２−７の間はまっすぐ前方にわずかの突出部２−４を有する例である。Ｌ曲げ部２−７のサイド面１−３に突き当ての接合面２−３を有する。
【００３５】
上記のａ）、ｂ）、ｃ）の３つの例をそれぞれ図１のＡ−Ａ’、Ｂ−Ｂ’、Ｃ−Ｃ’の部分の断面箇所から見た図を、図２の本発明による実施例の断面図として示す。
【００３６】
図２において、記録再生素子１−３−１はサイド面１−３に設けられ、表面は絶縁層（図示省略）によって覆われている。記録再生素子１−３−１は、薄膜生成技術によって形成された情報書き込み用のインダクションコイルを有する記録素子と、書き込まれた信号を記録媒体（浮上面１−１に対面して回転する。図示省略）から読み出すＧＭＲ再生素子とから成っている。また、サイド面１−３の表面を覆う絶縁層の下側では、記録再生素子１−３−１の記録再生素子から、電気信号の送受のための各々２本づつのリード線が引き出され、４つの接続端子１−３−２にそれぞれ接続されている。
【００３７】
図２のａ）においては、サスペンション２はサイド面１−３に対し、平坦な断面をもつ断面が当接している。また、サスペンション２の表面には、ＦＰＣ２−５が固着して設けられている。ｂ）においては、サスペンション２はサイド面１−３に対し、２つのＬ曲げ部２−６を有し、Ｌ曲げ部２−６のサイド面１−３に対向した面が接合面となっている。ｃ）は、ｂ）と似て２つのＬ曲げ部２−７を有しているが、Ｌ曲げ部２−７の間の部分は図１のｃ）に示されるようにスライダ１の背面１−２に一部突き出している。
【００３８】
図３は、本発明による実施例の斜視図を示す。図３の各ａ）、ｂ）、ｃ）の図は、図１、図２の各ａ）、ｂ）、ｃ）の図に対応している。それぞれ４つの接続端子１−３−２は、サスペンション２の表面に固着して設けられたＦＰＣ２−５が有する４本の配線２−５−１の配線端子２−５−２に近接して位置するように配置されており、接続端子１−３−２と配線端子２−５−２の表面はそれぞれ溶接あるいは半田付けができるように端子部が絶縁層から露出している。
【００３９】
本発明は、このような構成になっているため、図４の本発明による端子部接続実施例に示すごとく、近接したそれぞれの接続端子１−３−２と配線端子２−５−２同士が、金ボール７にて接合される。図４において、金ボール７は半田による接合でも構わない。本発明においては、接続端子１−３−２と配線端子２−５−２とを溶接あるいは半田により接合することにより電気的に接続すると共に、スライダ１とサスペンション２とを機械的に接続固定する。従来のように、サスペンションの先端にスライダ１を搭載し互いに面接着して、スライダ１とサスペンション２０とを機械的に結合することを行わない。
【００４０】
もちろん、図３のｂ）、ｃ）に示されるように、Ｌ曲げ部２−６やＬ曲げ部２−７を有する場合には、機械的補強のため、補助的に、サイド面１−３と対向するＬ曲げ部の接合面とに、例えば、熱可塑性の接着剤を用いることは構わない。要は、接続端子１−３−２と配線端子２−５−２とを溶接あるいは半田により接合することにより、記録再生素子の接続端子１−３−２とＦＰＣの配線端子２−５−２との電気的接合を行うと共に、スライダ１とサスペンション２との機械的結合を行なう。そして、スライダ１とサスペンション２との分離が必要となったとき、スライダ１のサイド面１−３とサスペンション２に固着された配線端子２−５−２の溶接部あるいは半田部を加熱することによって、サイド面１−３の一部に熱可塑性の接着剤が使用されていても、簡単に分離できるようになっている。
【００４１】
さらに、従来と比べて、スライダ１を含むサスペンション先端部のイナーシャをより低下させたものとなっている。
【図面の簡単な説明】
【００４２】
【図１】は本発明による実施例
【図２】は本発明による実施例の断面図
【図３】は本発明による実施例の斜視図
【図４】は本発明による端子部接続実施例
【図５】磁気ディスク装置例
【図６】従来のヘッドの外観図
【図７】従来のヘッド外観拡大図
【符号の説明】
【００４３】
１  スライダ
２、２０  サスペンション       
３  アーム
４  アクチュエータ
５  ディスク
６  ディスク回転軸
７  金ボール
８  スペーサ
９  ＦＰＣ
３０  ベース
３１  コネクタ部
【図１】
2007234152.tif 000003
【図２】
2007234152.tif 000004
【図３】
2007234152.tif 000005
【図４】
2007234152.tif 000006
【図５】
2007234152.tif 000007
【図６】
2007234152.tif 000008
【図７】
2007234152.tif 000009